(57)【要約】【課題】防湿性に優れ、片手で開閉操作が可能なワンタッチオープン性を有する薄板物収納容器を提供すること。【解決手段】中容器10は底面12が内容物取り出し側Ａが徐々に高くなるよう形成され底面の周縁には側壁13が立設され側壁の内容物取り出し側は前側壁14として形成され中容器の取り出し側の左右の側壁の外側には上下方向に嵌合溝15が設けられ嵌合溝から適宜の間隔で嵌合溝と平行に第２嵌合溝16が設けられた構造からなり、外容器30は一方の側面が開放面31として開放され後側壁32は中央33が内方に曲がって開放面より短く形成され開放面と後側壁を結ぶ側壁34は中央近傍より後側壁に向けて緩いくの字を描いて連設され外容器の開放面近傍の側壁内側に中容器の嵌合溝と、第２嵌合溝とに嵌合可能な凸条35が設けら、中容器の底面の下の前側壁と左右の側壁とで囲まれた領域18には乾燥樹脂18が封入されている。【選択図】図５
2005271931.tif 000002
【特許請求の範囲】
【請求項１】
上面が開放された略方形の中容器が一方の側面のみが開放された略方形の外容器に引出し式に挿入される薄板物収納容器であって、
引出しを構成する中容器は、底面が内容物取り出し側が徐々に高くなるように形成され、底面の周縁には側壁が立設され、側壁の内容物取り出し側は後記する外容器の開放面全体を覆う前側壁として形成され、中容器の取り出し側の左右の側壁の外側には上下方向に嵌合溝が設けられ、該嵌合溝から適宜の間隔を隔てて嵌合溝と平行に第２嵌合溝が設けられた構造からなり、
中容器が引出し式に挿入される外容器は、薄型で一方の側面のみが開放面として開放され、開放面と対向する後側の後側壁は、中央が内方に緩く曲がって開放面より短く形成され、開放面と後側壁とを結ぶ左右の側壁は、中央近傍より後側壁に向けて緩いくの字状を描いて連設され、外容器の開放面近傍の側壁内側には中容器の嵌合溝と嵌合可能で、かつ、中容器の第２嵌合溝と嵌合可能な凸条が設けられた構造からなることを特徴とする、薄板物収納容器。
【請求項２】
前記中容器の内容物取り出し側の底面の下の前側壁と左右の側壁とで囲まれた領域には、乾燥樹脂が封入されていることを特徴とする、請求項１記載の薄板物収納容器。
【請求項３】
前記外容器の左右の側壁の後側壁寄りには、複数本のリブが形成されていることを特徴とする、請求項１又は２記載の薄板物収納容器。
【請求項４】
前記中容器が乾燥剤入りプラッスチック樹脂から形成されていることを特徴とする、請求項１、２又は３記載の薄板物収納容器。
【発明の詳細な説明】
【技術分野】
【０００１】
本発明は、薄板物を収納する容器に関するものであり、特には密封性とワンタッチオープン性を有する薄板物収納容器に関する。
【背景技術】
【０００２】
従来、フィルム状の薄板物を収納する容器としては、例えば、ヒンジがオープンするタイプのフィルム容器（例えば、特許文献１参照）や、底部材と蓋部材に分かれた容器（例えば、特許文献２）が知られている。
【０００３】
上記先行技術文献を示す。  
【特許文献１】実開平３−６９６８４号公報（請求項１）
【特許文献２】特開平１１−３４９０６８号公報（請求項１）  ところが前者の考案は、防湿性に乏しく、また、片手で容器を開閉することが難しく両手でないと開閉できない．また、蓋を開けた後もフィルムを取り出すことが困難である．といった問題がある。
【０００４】
また後者の発明は、片手で容器を開閉することはできるのものの防湿性に乏しく、特に夏場のワイシャツの胸ポケット等高湿度の環境下では、内部のフィルムが粘着してしまうクレームが多発している。
【発明の開示】
【発明が解決しようとする課題】
【０００５】
本発明は、薄板物の収納容器に関する以上のような問題に鑑みてなされたもので、防湿性に優れ、かつ、片手で操作が可能なワンタッチオープン性を有する薄板物の収納容器を提供することを課題とする。
【課題を解決するための手段】
【０００６】
本発明の請求項１の発明は、上面が開放された略方形の中容器が一方の側面のみが開放された略方形の外容器に引出し式に挿入される薄板物収納容器であって、引出しを構成する中容器は、底面が内容物取り出し側が徐々に高くなるように形成され、底面の周縁には側壁が立設され、側壁の内容物取り出し側は後記する外容器の開放面全体を覆う前側壁として形成され、中容器の取り出し側の左右の側壁の側壁の外側には上下方向に嵌合溝が設けられ、該嵌合溝から適宜の間隔を隔てて嵌合溝と平行に第２嵌合溝が設けられた構造からなり、中容器が引出し式に挿入される外容器は、薄型で一方の側面のみが開放面として開放され、開放面と対向する後側の後側壁は、中央が内方に緩く曲がって開放面より短く形成され、開放面と後側壁とを結ぶ左右の側壁は、中央近傍より後側壁に向けて緩いくの字状を描いて連設され、外容器の開放面近傍の側壁内側には中容器の嵌合溝と嵌合可能で、かつ、中容器の第２嵌合溝と嵌合可能な凸条が設けられた構造からなることを特徴とする、薄板物収納容器である。
【０００７】
このように請求項１記載の発明によれば、引出しを構成する中容器は、底面が内容物取り出し側が徐々に高くなるように形成され、底面の周縁には側壁が立設され、側壁の内容物取り出し側は後記する外容器の開放面全体を覆う前側壁として形成され、中容器の取り出し側の左右の側壁の側壁の外側には上下方向に嵌合溝が設けられ、該嵌合溝から適宜の間隔を隔てて嵌合溝と平行に第２嵌合溝が設けられた構造からなり、中容器が引出し式に
挿入される外容器は、薄型で一方の側面のみが開放面として開放され、開放面と対向する後側の後側壁は、中央が内方に緩く曲がって開放面より短く形成され、開放面と後側壁とを結ぶ左右の側壁は、中央近傍より後側壁に向けて緩いくの字状を描いて連設され、外容器の開放面近傍の側壁内側には中容器の嵌合溝と嵌合可能で、かつ、中容器の第２嵌合溝と嵌合可能な凸条が設けられた構造からなるので、片方の手で外容器の左右の側壁の下方部分を内方に押さえ、同時に外容器の後側壁の中央近傍を押し上げると、外容器の凸条と中容器の嵌合溝との嵌合が解け、外容器の後側壁は、左右の側壁の中央近傍より後側壁寄りを含めて横断面が略Ｗ字状に変形して、中容器が上方に迫り出し、中容器の開放面が露出して中容器から内容物を容易に取り出すことができる。
【０００８】
また、請求項２の発明は、請求項１の発明において、前記中容器の内容物取り出し側の底面の下の前側壁と左右の側壁で囲まれた領域には、乾燥樹脂が挿入されていることを特徴とする薄板物収納容器である。
【０００９】
このように請求項２記載の発明によれば、中容器の内容物取り出し側の底面の下の前側壁と左右の側壁で囲まれた領域には、乾燥樹脂が挿入されているので、収納容器に高い乾燥能力を持たせたり、一定湿度を長期間維持させたりすることができる。
【００１０】
また、請求項３の発明は、請求項１又は２の発明において、前記外容器の左右の側壁の後側壁寄りには、複数本のリブが形成されていることを特徴とする、薄板物収納容器である。
【００１１】
このように請求項３記載の発明によれば、外容器の左右の側壁の後側壁寄りには、複数本の指押さえ用のリブが形成されているので、中容器の開放面を外容器から迫り出すにあたり、片方の手で外容器の左右の側壁の下方部分を内方に押さえる際、指が滑ったりすることなく、左右の側壁を確実に押さえることができる。
【００１２】
また、請求項４の発明は、請求項１、２又は３の発明において、前記中容器が乾燥剤入りプラスチック樹脂から形成されていることを特徴とする、薄板物収納容器である。
【００１３】
このように請求項４記載の発明によれば、中容器が乾燥剤入りプラスチック樹脂から形成されているので、収納物の防湿性が長期間にわたって確保できる。
【発明の効果】
【００１４】
このように本発明の薄板物収納容器は、つぎに述べるような効果を奏する。
すなわち、片手でオープンすることができる（ワンタッチオープン）。中容器と外容器の嵌合性が良いので防湿性が高い。中容器の乾燥剤を混練した熱可塑性樹脂を使用することで乾燥能力を付与することができる。収納物であるフィルム状物質が高湿度状態でも粘着することがない。収納物が取り出し易い。
【発明を実施するための最良の形態】
【００１５】
本発明を一実施形態に基づいて以下に詳細に説明する。
【００１６】
本発明の薄板物収納容器は、例えば、図１〜図４に示すように、上面（１１）が開放された略方形の中容器（１０）が一方の側面のみが開放された略方形の外容器（３０）に引出し式に挿入される薄板物収納容器（１）である。そして、通常では、中容器（１）、外容器（３０）ともに、ポリエチレン、ポリプロピレンなどの剛性のある熱可塑性樹脂を射出成形して作製される。
【００１７】
引出しを構成する中容器（１０）は、底面（１２）が内容物取り出し側（Ａ）が徐々に
高くなるように形成され、底面の周縁には側壁（１３）が立設され、側壁の内容物取り出し側は後記する外容器の開放面全体を覆う前側壁（１４）として形成されている。
【００１８】
中容器の取り出し側（Ａ）の左右の側壁の外側には上下方向に嵌合溝（１５）が設けられ、該嵌合溝から適宜の間隔を隔てて嵌合溝と平行に第２嵌合溝（１６）が設けられた構造からなる。なお、嵌合溝（１５）と第２嵌合溝（１６）は、どちらも側壁のみならず、底面（１２）にも設けた方が良い。開放面（１１）を除く三面に嵌合溝、第２嵌合溝を設けることにより、中容器（１０）に外容器（３０）を引出し式に挿入した際、両者の嵌合性が増し、防湿性がより向上する。
【００１９】
中容器（１０）の内容物取り出し側の底面（１２）の下の前側壁（１４）と左右の側壁（１３）とで囲まれた領域（１８）には、乾燥樹脂が封入されている。
【００２０】
乾燥樹脂は、高い乾燥能力（内部湿度１５％以下の場合）を必要とする場合は酸化カルシウム構成が適しており、湿度を維持する能力（内部湿度２０〜５０％の場合）を必要とする場合は焼き明礬構成が適している。収納する内容物により適宜判断して使用すれば良い。
また、乾燥樹脂は成形品を領域（１８）に後からセットする方式と、乾燥樹脂部分をインサートして成形する方式と、乾燥樹脂と中容器を２工程に分けて射出成形する２色成形の方式等が考えられ、どの方式を採用するかは任意である。
乾燥樹脂の乾燥能力を長期間保持するためには、乾燥樹脂を外気に長期間露出させないことが必要である。
【００２１】
中容器が引出し式に挿入される外容器（３０）は、薄型で一方の側面のみが開放面（３１）として開放され、開放面と対向する後側の後側壁（３２）は、中央（３３）が内方に緩く曲がって開放面より短く形成されている。
【００２２】
開放面（３１）と後側壁（３２）とを結ぶ左右の側壁（３４）は、中央近傍より後側壁に向けて緩いくの字状を描いて連設されている。外容器の開放面近傍の側壁内側には中容器の嵌合溝（１５）と嵌合可能で、かつ、中容器の第２嵌合溝（１６）と嵌合可能な凸条（３５）が設けられた構造からなる。凸条（３５）は、前述のような理由から中容器（１０）の開放面（１１）に対応する面を除く三面に設けた方が良い。
【００２３】
外容器（３０）の左右の側壁の後側壁（３２）寄りには、複数本の指押さえ用のリブ（３９）が形成されている。
【００２４】
本発明の薄板物収納容器（１）はこのような構造からなるので、外容器（３０）の左右の側壁の下方部分を内方に押さえ、同時に外容器の後側壁の中央近傍を押し上げる（図５（ａ）参照）と、外容器の凸条（３５）と中容器の嵌合溝（１５）との嵌合が解け、外容器の後側壁（３２）は、左右の側壁（３４）の中央近傍より後側壁寄りを含めて横断面が略Ｗ字状に変形して、中容器が上方に迫り出し中容器の開放面が露出して収納物を取り出すことができる（図５（ｂ）参照）。迫り出した中容器（１０）の内容物取り出し側（Ａ）を外容器に押し込むことで外容器のＷ字状の折れ曲がりは矯正され、中容器は外容器に納まる（図５（ｃ）参照）。
【００２５】
外容器（３０）は柔軟性のある樹脂で形成され、側壁（３４）の後側壁（３２）寄りには指押さえ用のリブ（３９）が形成されているので、その両端を押さえることで中容器（１０）を迫り出させることができる。
【００２６】
中容器の嵌合溝（１５）に外容器の凸条（３５）を嵌合させることで収納容器（１）は
密封され内部にエア溜まりが出来るが、外容器が柔軟性のある樹脂からできているので、中容器を収めた時に外容器が少し膨らみことでエアは逃げて解決できる。また、溜まったエアの力により中容器が迫り出す時にポップアップする効果も期待できる。
また、中容器の側壁に設けられた第２嵌合溝（１６）により、中容器が迫り出し過ぎないように中容器を止められるようにしている。
【００２７】
なお、後側壁（３２）の中央（３３）近傍は薄肉に、また、左右の側壁（３４）の隅角寄りは厚肉になるように外容器を成形することで、外容器の後側壁がわをＷ字状に曲げた時、その形状を保持させることができる。
【００２８】
中容器（１０）を構成する熱可塑性樹脂としては、ポリプロピレン樹脂、高密度ポリエチレン樹脂などが好適に使用できる。
【００２９】
外容器（３０）は、柔軟性による密封性と開閉するための強度との微妙なバランスが必要で、軟質の熱可塑性樹脂で構成することが好ましく、低密度ポリエチレン樹脂、線状低密度ポリエチレン樹脂、エチレンプロピレンゴム、ポリピロピレンと低密度ポリエチレンの混合樹脂、ポリプロピレンと線状低密度ポリエチレンの混合樹脂などが好適に使用できる。樹脂の曲げ弾性率は５００ＭＰａ以下であることが望ましく、５０ＭＰａ以上が望ましい。
【図面の簡単な説明】
【００３０】
【図１】本発明の薄板物収納容器の一実施例を示す、（ａ）は正面説明図であり、（ｂ）は左側面図であり、（ｃ）は下面説明図である。
【図２】図１の薄板物収納容器の一実施例を示す、（ａ）は正面から見た断面説明図であり、（ｂ）は側面から見た断面説明図である。
【図３】本発明の薄板物収納容器を構成する中容器の一実施例を示す、（ａ）は正面から見た断面説明図であり、（ｂ）は側面から見た断面説明図である。
【図４】本発明の薄板物収納容器を構成する外容器の一実施例を示す、（ａ）は正面から見た断面説明図であり、（ｂ）は側面から見た断面説明図である。
【図５】（ａ）〜（ｃ）は、本発明の薄板物収納容器の中容器を外容器から迫り出す動作を示す、説明図である。
【符号の説明】
【００３１】
１‥‥薄板物収納容器
１０‥‥中容器
１１‥‥上面、開放面
１２‥‥底面
１３‥‥側壁
１４‥‥前側壁
１５‥‥嵌合溝
１６‥‥第２嵌合溝
１７‥‥後側壁
１８‥‥領域
３０‥‥外容器
３１‥‥開放面、一方の側面
３２‥‥後側壁
３３‥‥後側壁の中央
３４‥‥側壁
３５‥‥凸条
３６‥‥前面
３７‥‥後面
３９‥‥リブ
Ａ‥‥内容物取り出し側
【図１】
2005271931.tif 000003
【図２】
2005271931.tif 000004
【図３】
2005271931.tif 000005
【図４】
2005271931.tif 000006
【図５】
2005271931.tif 000007